(57)【要約】      （修正有）【課題】封緘シールを使わずに好適な改ざん防止措置を実現し得る箱を提供する。【解決手段】箱は、一枚のシートを折り曲げて形成され、箱本体１と蓋部材２とを備えている。箱本体１に折り線ｆ１を介して片状をなす挿入片３が突設されている。挿入片３は、蓋部材２に設けられた挿入口２３に挿入される。箱本体１の前壁１１は、挿入片３の下に連設され周縁部が第三スリットｓ３ａ、ｓ３ｂ及びミシン線ｍにより囲まれた切離可能部Ａと、切離可能部Ａに隣設され一対の第一スリットｓ１により厚み方向に変位可能に設けられた手指挿入部Ｂとを備えている。【選択図】図１
0003232991.tif 000002
【実用新案登録請求の範囲】
【請求項１】
一枚のシートを折り曲げて形成されたものであり、内部に物品を収容し得る収容空間が形成された箱本体とこの箱本体に連設され当該箱本体に形成された開口を閉塞し得る蓋部材とを備えた箱であって、
前記箱本体が、略矩形状をなす前壁と、この前壁の左右両端部から後方に延設された略矩形状をなす左右の側壁と、これら左右の側壁の後端部間を繋ぐ略矩形状をなす後壁と、前記前壁、前記左右の側壁、及び、前記後壁の下端部間を閉塞する略矩形状をなす底壁とを備えたものであり、
前記蓋部材が、前記開口を形成し得る前記後壁の上端縁から折り線を介して延設された略矩形状をなす蓋片と、この蓋片の延出端に折り線を介して連設され前記箱本体における前記前壁の内面に沿う位置に差し込まれる差込片を有したものであり、且つ、前記蓋片と前記差込片との間の左右方向中央部にスリット状の挿入口を備えたものであり、
前記前壁の上縁部における左右方向中央部に折り線を介して前記挿入口に挿入される片状をなす挿入片が突設されたものであり、
前記前壁が、前記挿入片の下に連設され周縁部がスリット及びミシン線により囲まれており使用者の手指により摘まれた上で切り離され得る切離可能部と、この切離可能部に隣設され一対の第一スリットにより厚み方向に変位可能に設けられた手指挿入部とを備えたものである箱。
【請求項２】
前記差込片に、厚み方向に変位し易い変位容易領域を形成するための略Ｌ字状をなす第二スリットが設けられたものであり、前記変位容易領域が前記手指挿入部の裏側に配されている請求項１記載の箱。
【請求項３】
前記第一スリットにおける前記切離可能部とは反対側に位置する端部に、裂け抑制用の屈曲スリット部が設けられている請求項１又は２記載の箱。
【請求項４】
前記差込片における一部の下端縁が、前記切離可能部の下端縁よりも下に位置し得るように、前記差込片の上下寸法が設定されている請求項１、２又は３記載の箱。
【考案の詳細な説明】
【技術分野】
【０００１】
本考案は、種々の物品を収容し得る箱に関する。
【背景技術】
【０００２】
従来から、物品を収容し得る収容空間が形成された種々の箱が知られている（例えば、特許文献１を参照。）。
【０００３】
この種の箱には、収容空間が形成された本体と、この本体に連設された蓋部材とを備えているものが多く存在する。蓋部材は、本体の収容空間に物品が収容された後に、当該収容空間を閉塞し得るものである。蓋部材は、本体の開口端縁から延設された蓋片と、この蓋片に連設された差込片を有している。
【０００４】
箱は、従前から、本体に収容された物品に対する改ざんが懸念されており、物品の性質等により特に対策を要する場合には、本体と蓋部材とを繋ぐようにして封緘シールを貼り付けることが行われていた。
【０００５】
しかしながら、部品点数の抑制や作業工数の抑制という観点から、封緘シールを使わずに箱の構成のみにおいて好適な改ざん防止の措置が実現できることが望まれている。
【先行技術文献】
【特許文献】
【０００６】
【特許文献１】特許第５７４１０８１号公報
【考案の概要】
【考案が解決しようとする課題】
【０００７】
本考案は、以上のような事情に着目してなされたものであり、少なくとも、封緘シールを使わずに好適な改ざん防止措置を実現し得る箱を提供することにある。
【課題を解決するための手段】
【０００８】
すなわち、本考案は次の構成をなしている。
【０００９】
請求項１に記載の考案は、一枚のシートを折り曲げて形成されたものであり、内部に物品を収容し得る収容空間が形成された箱本体とこの箱本体に連設され当該箱本体に形成された開口を閉塞し得る蓋部材とを備えた箱であって、前記箱本体が、略矩形状をなす前壁と、この前壁の左右両端部から後方に延設された略矩形状をなす左右の側壁と、これら左右の側壁の後端部間を繋ぐ略矩形状をなす後壁と、前記前壁、前記左右の側壁、及び、前記後壁の下端部間を閉塞する底壁とを備えたものであり、前記蓋部材が、前記開口を形成し得る前記後壁の上端縁から折り線を介して延設された略矩形状をなす蓋片と、この蓋片の延出端に折り線を介して連設され前記箱本体における前記前壁の内面に沿う位置に差し込まれる差込片を有したものであり、且つ、前記蓋片と前記差込片との間の左右方向中央部にスリット状の挿入口を備えたものであり、前記前壁の上縁部における左右方向中央部に折り線を介して前記挿入口に挿入される片状をなす挿入片が突設されたものであり、前記前壁が、前記挿入片の下に連設され周縁部がスリット及びミシン線により囲まれており使用者の手指により摘まれた上で切り離され得る切離可能部と、この切離可能部に隣設され一対の第一スリットにより厚み方向に変位可能に設けられた手指挿入部とを備えたものである箱である。
【００１０】
請求項２に記載の考案は、前記差込片に、厚み方向に変位し易い変位容易領域を形成するための略Ｌ字状をなす第二スリットが設けられたものであり、前記変位容易領域が前記手指挿入部の裏側に配されている請求項１記載の箱である。
【００１１】
請求項３に記載の考案は、前記第一スリットにおける前記切離可能部とは反対側に位置する端部に、裂け抑制用の屈曲スリット部が設けられている請求項１又は２記載の箱である。
【００１２】
請求項４に記載の考案は、前記差込片における一部の下端縁が、前記切離可能部の下端縁よりも下に位置し得るように、前記差込片の上下寸法が設定されている請求項１、２又は３記載の箱である。
【考案の効果】
【００１３】
以上説明したように本考案によれば、少なくとも、封緘シールを使わずに好適な改ざん防止措置を実現し得る箱を提供することができるものとなる。
【図面の簡単な説明】
【００１４】
【図１】本考案の一実施形態を示す斜視図。
【図２】同実施形態における部分拡大正面図。
【図３】同実施形態における平面図。
【図４】同実施形態における作用説明用の斜視図。
【図５】同実施形態における作用説明用の斜視図。
【図６】同実施形態における展開図。
【図７】他の実施形態を示す部分拡大正面図。
【図８】同実施形態における展開図。
【考案を実施するための形態】
【００１５】
以下、本考案の一実施形態を、図１〜６を参照して説明する。
【００１６】
この実施形態は、本考案を、物品である図示しない化粧容器を収容し得る箱に適用したものである。
【００１７】
箱は、図６の展開図に示されるように、一枚のシートを折り曲げて形成されたものである。
【００１８】
箱は、内部に化粧容器を収容し得る収容空間ｓｐが形成された箱本体１と、箱本体１に連設され当該箱本体１に形成された開口Ｋを閉塞し得る蓋部材２と、箱本体１を構成する前壁１１の上縁部における左右方向中央部に折り線ｆ１を介して突設された挿入片３とを備えたものである。挿入片３は、蓋部材２に設けられたスリット状の挿入口２３に挿入されるとともに当該挿入口２３から抜け出し難い形状をなす片状のものである。
【００１９】
箱は、挿入片３と、挿入片３が挿入される挿入口２３を有した蓋部材２と、挿入片３を支持する切離可能部Ａを有した箱本体１を主体にして、箱が開封されたという事実を明確にさせ得るいわゆる改ざん防止機能が発揮され得るものとなっている。
【００２０】
以下、この箱について詳述する。
【００２１】
箱本体１は、上部に四角形状の開口Ｋを有する縦長四角箱状のものである。
【００２２】
箱本体１は、略矩形状をなす前壁１１と、前壁１１の左右両端部から後方に延設された略矩形状をなす左右の側壁１２と、左右の側壁１２の後端部間を繋ぐ略矩形状をなす後壁１３と、前壁１１、左右の側壁１２、及び、後壁１３の下端部間を閉塞する底壁１４とを備えたものである。
【００２３】
前壁１１は、縦長長方形状をなしている。上述したように、前壁１１の上縁部における左右方向中央部には、折り線ｆ１を介して蓋部材２の挿入口２３に挿入される片状をなす挿入片３が突設されている。
【００２４】
前壁１１は、挿入片３の下に連設され周縁部がスリットである第三のスリットｓ３ａ、ｓ３ｂ、及び、ミシン線ｍにより囲まれており、使用者の手指により摘まれた上で切り離され得る切離可能部Ａと、切離可能部Ａに隣設され一対の第一スリットｓ１により厚み方向に変位可能に設けられた手指挿入部Ｂとを備えている。なお、この明細書では、説明の便宜上、前壁１１における切離可能部Ａと手指挿入部Ｂ以外の接離及び可動しない構成部分を固定前壁部Ｄと称するものとする。
【００２５】
切離可能部Ａは、挿入片３を支持する挿入片可動支持部分ａ１と、挿入片可動支持部分ａ１の周縁部に部分的に配設されたベース部ａ２とを備えている。
【００２６】
挿入片可動支持部分ａ１は、折り線ｆ３に合致する上端縁が折り線ｆ３に合致する挿入片３の基端部に一体に接続するとともに挿入片３が挿入口２３に差し込まれ得るように当該挿入片３を固定前壁部Ｄに対して前後動させ得るようにベース部ａ２に接続する下端部ａ１ｅを回転中心にして前後方向に移動可能に構成されたものである。
【００２７】
挿入片可動支持部分ａ１の左右には、第三のスリットｓ３ａ、ｓ３ｂが形成されている。左側に位置する第三のスリットｓ３ａは、挿入片可動支持部分ａ１を、前後方向に移動可能にさせるべく、固定前壁部Ｄ、及び、ベース部ａ２との間で隔て得るものである。右側に位置する第三のスリットｓ３ｂは、挿入片可動支持部分ａ１を、前後方向に移動可能にさせるべく、固定前壁部Ｄ、及び、手指挿入部Ｂの上半部との間で隔て得るものである。
【００２８】
ベース部ａ２は、挿入片可動支持部分ａ１と固定前壁部Ｄとの間に介設されている。ベース部ａ２は、挿入片可動支持部分ａ１における下端部ａ１ｅの全域及び左端縁における上端部を除く領域に沿うように略Ｌ字状の形態をなしている。ベース部ａ２の外周縁は、ミシン線ｍを介して固定前壁部Ｄ及び手指挿入部Ｂの下半部に繋がっている。
【００２９】
手指挿入部Ｂは、切離可能部Ａにおける上下方向中央部の右に隣設されている。手指挿入部Ｂは、使用者の手指により押圧される部位をなす。手指挿入部Ｂは、左右方向に延びてなる上下一対の第一スリットｓ１により固定前壁部Ｄに対して厚み方向に変位可能に設けられている。すなわち、手指挿入部Ｂは、上下に離間して形成された一対の第一スリットｓ１の間に設けられている。なお、第一スリットｓ１における切離可能部Ａとは反対側の端部（すなわち、右端部）には、裂け抑制用の屈曲スリット部ｓ１ｃが設けられている。
【００３０】
手指挿入部Ｂは、使用者の手指により収容空間ｓｐの方向に向かって押圧され得るものとなっている。手指挿入部Ｂは、使用者に押圧されることにより、固定前壁部Ｄに対して後方に移動され、その結果、使用者が切離可能部Ａの右側の下部に設けられた外方に膨出する部分Ｆを手指により容易に摘み得るものとなっている。
【００３１】
蓋部材２は、箱本体１の開口Ｋを形成し得る後壁１３の上端縁から折り線ｆ２を介して延設された開口Ｋに略合致する略矩形状をなす蓋片２１と、蓋片２１の延出端に折り線ｆ３を介して連設され箱本体１における前壁１１の内面に沿う位置に差し込まれる差込片２２を有したものである。蓋部材２には、折り線ｆ３に合致する位置の左右方向中央部、すなわち、蓋片２１と差込片２２との間の左右方向中央部にスリット状の挿入口２３が設けられている。
【００３２】
差込片２２には、厚み方向に変位し易い変位容易領域Ｃを形成するための略Ｌ字状をなす第二スリットｓ２が設けられている。第二スリットｓ２の一端は差込片２２の周縁部にまで至るようになっている。第二スリットｓ２により設けられた変位容易領域Ｃは、手指挿入部Ｂの裏側に位置するように配設されている。
【００３３】
以上に詳述した通り、本実施形態に係る箱は、一枚のシートを折り曲げて形成されたものである。そして、箱は、内部に物品である化粧容器を収容し得る収容空間ｓｐが形成された箱本体１と、箱本体１に連設され当該箱本体１に形成された開口Ｋを閉塞し得る蓋部材２とを備えたものである。
【００３４】
そして、箱本体１が、略矩形状をなす前壁１１と、前壁１１の左右両端部から後方に延設された略矩形状をなす左右の側壁１２と、左右の側壁１２の後端部間を繋ぐ略矩形状をなす後壁１３と、前壁１１、左右の側壁１２、及び、後壁１３の下端部間を閉塞する底壁１４とを備えたものである。
【００３５】
蓋部材２が、開口Ｋを形成し得る後壁１３の上端縁から折り線ｆ２を介して延設された略矩形状をなす蓋片２１と、蓋片２１の延出端に折り線ｆ３を介して連設され箱本体１における前壁１１の内面に沿う位置に差し込まれる差込片２２を有したものであり、且つ、蓋片２１と差込片２２との間の左右方向中央部にスリット状の挿入口２３を備えたものである。
【００３６】
前壁１１の上縁部における左右方向中央部に折り線ｆ１を介して挿入口２３に挿入される片状をなす挿入片３が突設されたものである。そして、前壁１１が、挿入片３の下に連設され周縁部がスリットである第三のスリットｓ３ａ、ｓ３ｂ、及び、ミシン線ｍにより囲まれており使用者の手指により摘まれた上で切り離され得る切離可能部Ａと、切離可能部Ａに隣設され一対の第一スリットｓ１により厚み方向に変位可能に設けられた手指挿入部Ｂとを備えたものである。
【００３７】
このため、本実施形態であれば、少なくとも、封緘シールを使わずに好適な改ざん防止措置を実現し得る箱を提供することができるものとなる。
【００３８】
しかも、本実施形態であれば、手指挿入部Ｂに対して手指を挿入した上で、簡単に切離可能部Ａを手指により摘むことができるように構成されている。そのため、使用者により蓋部材２を開放する際の操作性に優れたものとなっている。
【００３９】
差込片２２に、厚み方向に変位し易い変位容易領域Ｃを形成するための略Ｌ字状をなす第二スリットｓ２が設けられたものであり、変位容易領域Ｃが手指挿入部Ｂの裏側に配されている。
【００４０】
このため、使用者により押圧される手指挿入部Ｂの後方への動きが裏側に位置する差込片２２の存在により阻害されることがなく、所期の通りに好適に実現され得るものとなっている。
【００４１】
第一スリットｓ１における切離可能部Ａとは反対側に位置する端部である右端部に、裂け抑制用の屈曲スリット部ｓ１ｃが設けられている。
【００４２】
このため、第一スリットｓ１が、所期の位置よりも過剰に裂けにくい好適な構成を備えたものとなっている。
【００４３】
なお、本考案は、以上に詳述した実施形態に限られるものではない。
【００４４】
差込片の形状は、切離可能部及び切離可能部が固定前壁部から離脱した後に形成される連通孔の形状に対応させて適宜の形態に形成することができるものである。
【００４５】
例えば、図７及び図８に示すように、差込片２２における一部の下端縁２２ｅが、切離可能部Ａの下端縁Ａｅよりも下に位置し得るように、差込片２２の上下寸法が設定されていてもよい。このようなものであれば、切離可能部Ａが切り離された後であっても、差込片２２の存在によって収容空間ｓｐに連通孔を通じて埃等の異物が侵入し難いものとなる。
【００４６】
その他、各部の具体的構成についても上記実施形態に限られるものではなく、本考案の趣旨を逸脱しない範囲で種々変形が可能である。
【符号の説明】
【００４７】
１…箱本体
２…蓋部材
３…挿入片
１１…前壁
Ａ…接離可能部
Ｂ…手指挿入部
Ｋ…開口
ｓｐ…収容空間
２１…蓋片
２２…差込片
２３…挿入片
【図１】
0003232991.tif 000003
【図２】
0003232991.tif 000004
【図３】
0003232991.tif 000005
【図４】
0003232991.tif 000006
【図５】
0003232991.tif 000007
【図６】
0003232991.tif 000008
【図７】
0003232991.tif 000009
【図８】
0003232991.tif 000010